(57)【特許請求の範囲】
【請求項１】
記録媒体に画像形成を行う画像形成手段と、
前記画像形成手段によりトナー像が転写された前記記録媒体を搬送する媒体搬送手段と、
前記媒体搬送手段により搬送された前記記録媒体上のトナー像を定着して搬送する定着手段と、
前記媒体搬送手段と前記定着手段との間で前記記録媒体の弛みの有無を検出する弛み検出手段と、
前記弛み検出手段による検出結果に基づいて前記媒体搬送手段および／または前記定着手段による媒体搬送速度を変化させて前記媒体搬送手段の媒体搬送速度と前記定着手段の媒体搬送速度との間に速度差を生成する制御手段とを備え、
前記制御手段は、
前記弛み検出手段による弛み有無の切り替わりを検出してから前記媒体搬送速度差が閾値を超えるまで、前記媒体搬送速度の変速前の速度と変速後の速度との差が第１の値となるように前記媒体搬送速度を変化させ、
前記媒体搬送速度差が閾値を超えてから再度前記弛み検出手段による弛み有無の切り替わりを検出するまで、前記媒体搬送速度の変速前の速度と変速後の速度との差が、前記第１の値より小さい第２の値となるように前記媒体搬送速度を変化させることを特徴とする画像形成装置。
【請求項２】
請求項１の画像形成装置において、
前記制御手段は、前記弛み検出手段による弛み有無の切り替わりを検出してから再度前記弛み検出手段による弛み有無の切り替わりを検出するまで、前記定着手段の媒体搬送速度が前記媒体搬送手段の媒体搬送速度より大きくまたは小さくなるように、前記媒体搬送速度を変化させることを特徴とする画像形成装置。
【請求項３】
請求項１または請求項２の画像形成装置において、
前記弛み検出手段は、前記記録媒体との接触の有無に基づいて前記記録媒体の弛みを検出することを特徴とする画像形成装置。
【請求項４】
請求項１、請求項２または請求項３の画像形成装置において、
前記閾値は、前記弛み検出手段が弛み有無を検出したときの前記媒体搬送手段の媒体搬送速度と前記定着手段の媒体搬送速度との間の速度差の最大値および最小値に基づいて算出されることを特徴とする画像形成装置。
【請求項５】
請求項１から請求項４のいずれか１項の画像形成装置において、
前記閾値は、前記弛み検出手段が弛み有無を検出したときの前記定着手段の媒体搬送速度の最大値および最小値に基づいて算出されることを特徴とする画像形成装置。
【発明の詳細な説明】
【技術分野】
【０００１】
本発明は、記録媒体上に画像を形成する画像形成装置に関する。
【背景技術】
【０００２】
従来の電子写真装置等の画像形成装置は、画像形成部で感光体ドラム上に画像データに応じたトナー画像を形成し、このトナー画像を転写部で搬送される記録媒体上に転写し、さらに転写したトナー画像を定着部で搬送される記録媒体上に定着するようにしている。通常、この転写部と定着部において、記録媒体の搬送速度を完全に一致させることは難しく、長尺紙を印刷する場合、転写部と定着部との間に記録媒体の弛みや引張りが発生し易い。その結果、記録媒体の弛みによるこすれや引張り等による印字画質の劣化が発生することもある。このような不都合を取り除くため、上記記録媒体の弛み量を検出するための弛み検知センサを設け、定着部の記録媒体搬送速度を制御するようにしている。
【０００３】
また、転写部における記録媒体の搬送速度と定着部における記録媒体の搬送速度との速度差によって発生する記録媒体に加わる張力を検出する媒体張力検出手段を設け、その媒体張力検出手段が検出する張力に基づいて上記速度差を加減するようにしているものもある（例えば、特許文献１参照）。
【先行技術文献】
【特許文献】
【０００４】
【特許文献１】特開２００４−２３３４３７号公報（段落「００２８」〜段落「００３４」、図２、図３）
【発明の概要】
【発明が解決しようとする課題】
【０００５】
しかしながら、上述した従来の技術において、センサは、記録媒体の弛み量が所定量を超えたことを検知したときはオン信号を出力し、一方所定量を超えていないときはオフ信号を出力するようにしているため、その出力信号がオンからオフまたはオフからオンに変化するまでの時間や、出力信号のチャタリングやノイズを除去するための安定時間を確保する必要があり、その時間内に記録媒体の弛み量が大きくなることにより、または記録媒体が引っ張られることにより、印字画質の劣化が発生するという問題がある。
本発明は、このような問題を解決することを課題とし、記録媒体の弛みや引張りによる印字画質の劣化の発生を抑制することを目的とする。
【課題を解決するための手段】
【０００６】
そのため、本発明は、記録媒体に画像形成を行う画像形成手段と、前記画像形成手段によりトナー像が転写された前記記録媒体を搬送する媒体搬送手段と、前記媒体搬送手段により搬送された前記記録媒体上のトナー像を定着して搬送する定着手段と、前記媒体搬送手段と前記定着手段との間で前記記録媒体の弛みの有無を検出する弛み検出手段と、前記弛み検出手段による検出結果に基づいて前記媒体搬送手段および／または前記定着手段による媒体搬送速度を変化させて前記媒体搬送手段の媒体搬送速度と前記定着手段の媒体搬送速度との間に速度差を生成する制御手段とを備え、前記制御手段は、前記弛み検出手段による弛み有無の切り替わりを検出してから前記媒体搬送速度差が閾値を超えるまで、前記媒体搬送速度の変速前の速度と変速後の速度との差が第１の値となるように前記媒体搬送速度を変化させ、前記媒体搬送速度差が閾値を超えてから再度前記弛み検出手段による弛み有無の切り替わりを検出するまで、前記媒体搬送速度の変速前の速度と変速後の速度との差が、前記第１の値より小さい第２の値となるように前記媒体搬送速度を変化させることを特徴とする。
【発明の効果】
【０００７】
このようにした本発明は、記録媒体の弛みや引張りによる印字画質の劣化の発生を抑制することができるという効果が得られる。
【図面の簡単な説明】
【０００８】
【図１】第１の実施例における画像形成装置の機能構成を示すブロック図
【図２】第１の実施例における画像形成装置の構成を示す概略断面説明図
【図３】第１の実施例における画像形成ユニットの構成を示す概略断面説明図
【図４】第１の実施例における弛み制御処理を示すフローチャート
【図５】第１の実施例における初期弛み制御パラメータの設定処理を示すフローチャート
【図６】第１の実施例における弛み有り制御パラメータの設定処理を示すフローチャート
【図７】第１の実施例における弛み無し制御パラメータの設定処理を示すフローチャート
【図８】第１の実施例における記録媒体の弛み状態の説明図
【図９】第１の実施例における弛み制御パラメータテーブルの説明図
【図１０】第１の実施例における定着ローラの補正速度の変化を示すグラフ
【図１１】第２の実施例における画像形成装置の機能構成を示すブロック図
【図１２】第２の実施例における弛み制御処理を示すフローチャート
【発明を実施するための形態】
【０００９】
以下、図面を参照して本発明による画像形成装置の実施例を説明する。
【実施例１】
【００１０】
図２は第１の実施例における画像形成装置の構成を示す概略断面説明図である。
【００１１】
図２において、１は画像形成装置としてのプリンタであり、例えば電子写真方式のプリンタである。
【００１２】
プリンタ１は、記録媒体としての印刷媒体３を収容した用紙カセット２と、用紙カセット２に収容された印刷媒体３を給紙するための給紙ローラ５と、給紙する際に重なった印刷媒体３を分離するためのリタードローラ４と、給紙された印刷媒体３を搬送するためのレジストローラ７と、加圧して搬送力を生み出す連れ周りのプレッシャローラ６と、印刷媒体３にトナー画像を形成するための画像形成ユニット１６〜１９と、画像形成ユニット１６〜１９に静電潜像を形成する露光装置２０〜２３と、画像形成ユニット１６〜１９に転写電圧を与える転写部としての転写ローラ９〜１２と、印刷媒体３をプリンタ１の下流側に搬送するベルトユニット１４と、印刷媒体３を搬送する搬送ベルト１５と、搬送ベルト１５を駆動する駆動ローラ１３と、搬送ベルト１５が弛まないように張力を与えるベルトアイドルローラ８と、熱定着を行う定着部としての定着ユニット２４と、印刷媒体３上のトナー画像を熱定着させる定着ローラ２５と、定着ローラ２５を加熱するハロゲンランプ２７と、印刷媒体３に圧力を加える加圧ローラ２６と、定着ローラ２５の中央部の表面温度を検知するアッパーサーミスタ２８と、定着ユニット２４の筐体の温度を検知するフレームサーミスタ２９と、加圧ローラ２６の中央部の表面温度を検知するロアーサーミスタ３０と、定着ユニット２４によって加熱溶着された印刷媒体３を搬送する排出ローラ３１〜３４と、印刷媒体３が排出されるフェイスダウンスタッカ３５と、媒体搬送手段としての搬送ベルト１５と定着手段としての定着ローラ２５を含む定着ユニット２４との間に配置され、印刷媒体３の弛み有無状態を検知する弛み検知センサ３８と、印刷媒体３の先端および後端を検知する排出センサ３９とにより構成されている。
【００１３】
なお、弛み検知センサ３８は、印刷媒体３との接触の有無に基づいて印刷媒体３の弛みの有無を検出し、印刷媒体３の弛み有り状態を検知するとオン信号を出力し、弛み無し状態を検知するとオフ信号を出力するものとする。また、排出センサ３９は、印刷媒体３を検知するとオン信号を出力し、印刷媒体３を検知していないときはオフ信号を出力するものとする。
【００１４】
ここで、画像形成ユニットの構成を図３の第１の実施例における画像形成ユニットの構成を示す概略断面説明図に基づいて説明する。
図３において、画像形成ユニット１６は、電子写真感光体としての感光ドラム３６と、感光ドラム３６に画像情報を露光することで静電潜像を形成する露光装置２０と、感光ドラム３６にトナーを供給する現像ローラ３７とから構成されている。なお、図２における画像形成ユニット１７〜１９の構成は、上述した画像形成ユニット１６の構成と同様であるのでその説明を省略する。
【００１５】
図２の説明に戻り、プリンタ１の構成を説明する。
プリンタ１は、用紙カセット２から印刷媒体３を給紙する。印刷媒体３を給紙するための給紙ローラ５は、重なった印刷媒体３を分離するためのリタードローラ４とにより印刷媒体３を搬送する。給紙搬送された印刷媒体３は、レジストローラ７を加圧し、搬送力を生み出す連れ回りのプレッシャローラ６によってベルトユニット１４に搬送される。
【００１６】
画像形成ユニット１６〜１９は、ブラック色、イエロー色、マゼンタ色、シアン色の４色の画像を形成する画像形成ユニットとして構成され、それぞれの画像形成ユニット１６〜１９は、露光装置２０〜２３により静電潜像が形成される。
【００１７】
ベルトユニット１４は、レジストローラ７およびプレッシャローラ６により搬送されてきた印刷媒体３をプリンタ１の下流側に搬送し、かつ画像形成ユニット１６〜１９により形成されたトナー画像を転写ローラ９〜１２によって印刷媒体上に転写させる。
【００１８】
搬送ベルト１５は、弛まないようにベルトアイドルローラ８によって張力が与えられ、駆動ローラ１３との摩擦力によって駆動され、印刷媒体３は、搬送方向に直交する方向における中央が搬送ベルト１５の幅方向における中央と重なる位置で図中矢印Ａが示す定着ユニット２４の方向へ搬送される。
【００１９】
定着ユニット２４は、ハロゲンランプ２７によって加熱された定着ローラ２５および加圧ローラ２６との間を、未定着のトナー画像が形成され、搬送ベルト１５により搬送された印刷媒体３が通過することにより、印刷媒体３上のトナーを印刷媒体３に加熱溶着する。
定着ユニット２４で加熱溶着された印刷媒体３は、中間媒体搬送用の排出ローラ３２と連れ回る排出ローラ３１、排出ローラ３３と連れ回る排出ローラ３４によってフェイスダウンスタッカ３５上に排出される。
【００２０】
図１は第１の実施例における画像形成装置の機能構成を示すブロック図である。
図１において、プリンタ１は、印刷データを印刷ジョブとして送信するパーソナルコンピュータ等の上位装置２０１と通信可能に接続されている。
【００２１】
そのプリンタ１は、装置全体の制御を行う主制御部１０１と、上位装置２０１から印刷データを受信するデータ受信部１０２と、受信した印刷データを格納するデータ記憶部１０３と、各ローラ（図２に示すプレッシャローラ６、レジストローラ７、ベルトアイドルローラ８、駆動ローラ１３、排出ローラ３１〜３４）や図２に示す搬送ベルト１５で構成される搬送機構１０５の制御を行う搬送制御部１０４と、図２に示す画像形成ユニット１６〜１９、露光装置２０〜２３、転写ローラ９〜１２で構成される画像形成機構１０７の制御を行う画像形成制御部１０６と、サーミスタ２８の検出値からハロゲンランプ２７のオン／オフ制御を行う定着制御部１０８と、定着ローラ２５および加圧ローラ２６の駆動、速度制御を行う定着駆動制御部１０９と、弛みセンサ３８からの出力信号をオン／オフ信号として出力する弛み検出手段としての弛み検出部１１２と、弛み検出部１１２からのオン／オフ信号により印刷媒体の弛みの有無検出を行うとともにその検出結果に基づいて定着駆動制御部１０９に定着ローラ２５の速度を指示する弛み制御手段としての弛み制御部１１０と、印刷媒体の弛み状態に応じた定着ローラ２５の速度補正値が弛み制御パラメータテーブルとして格納されている制御パラメータ格納部１１１とから構成されている。
【００２２】
記録媒体に画像形成を行う画像形成手段としての画像形成機構１０７および画像形成制御部１０６は、媒体搬送手段としての搬送機構１０５（図２に示すプレッシャローラ６、レジストローラ７、ベルトアイドルローラ８、駆動ローラ１３）および搬送制御部１０４で搬送された記録媒体上にトナー画像を転写する。
【００２３】
媒体搬送手段としての搬送機構１０５および搬送制御部１０４は、トナー画像が転写された記録媒体を定着手段としての定着制御部１０８および定着駆動制御部１０９へ搬送し、定着手段としての定着制御部１０８および定着駆動制御部１０９は、記録媒体上のトナー画像を加熱溶着して定着するとともに排出ローラ３１〜３４へ搬送する。
【００２４】
弛み検出手段としての弛み検出部１１２は、媒体搬送手段としての搬送機構１０５（図２に示す駆動ローラ１３および搬送ベルト１５）と、定着手段としての定着ローラ２５および加圧ローラ２６との間で記録媒体に生じる弛みの有無を検出する。
【００２５】
制御手段としての弛み制御部１１０は、弛み検出部１１２による検出結果に基づいて定着手段の定着ローラ２５による媒体搬送速度を変化させて媒体搬送手段としての搬送機構１０５（図２に示す駆動ローラ１３および搬送ベルト１５）の媒体搬送速度と、定着手段としての定着ローラ２５および加圧ローラ２６の媒体搬送速度との間に速度差を生成し、記録媒体に生じる弛みを変化させる。
【００２６】
ここで、制御パラメータ格納部１１１に格納される弛み制御パラメータテーブルの例を図９の第１の実施例における弛み制御パラメータテーブルの説明図に基づいて説明する。
図９において、弛み制御パラメータテーブルは、初期値としての初期弛み制御パラメータ、印刷媒体に弛み有りが検出されたときに使用する弛み有り制御パラメータ、および印刷媒体に弛み無しが検出されたときに使用する弛み無し制御パラメータで構成されている。
【００２７】
初期弛み制御パラメータは、初速度、弛み有り基準速度、弛み有り上限速度、弛み無し基準速度、および弛み無し上限速度で構成され、それぞれは搬送ベルト１５の媒体搬送速度と同速度である定着ローラ２５の媒体搬送基準速度に対する補正値を符号付の百分率で格納したものである。
【００２８】
弛み有り制御パラメータは、弛み有り検出回数（１回×２０ｍ秒）、１回の弛み有り検出で加速する速度、弛み無し検出回数（１回×２０ｍ秒）、および１回の弛み無し検出で減速する速度で構成され、弛み有り検出回数は、印刷媒体の弛み有り状態を検出するための条件として２０ｍ秒周期で弛みセンサ３８のオン信号を連続して検出する回数であり、１回の弛み有り検出で加速する速度は、印刷媒体の弛み有り状態を検出したときに定着ローラ２５の速度を加速する定着ローラ２５の媒体搬送基準速度に対する正の百分率で表した補正値であり、弛み無し検出回数は、印刷媒体の弛み無し状態を検出するための条件として２０ｍ秒周期で弛みセンサ３８のオフ信号を連続して検出する回数であり、１回の弛み無し検出で減速する速度は、印刷媒体の弛み無し状態を検出したときに定着ローラ２５の速度を減速する定着ローラ２５の媒体搬送基準速度に対する負の百分率である。
【００２９】
また、弛み有り制御パラメータは、補正された定着ローラ２５の速度が、初期弛み制御パラメータの弛み有り基準速度より小さい場合に使用される補正値Ａ１および補正された定着ローラ２５の速度が、初期弛み制御パラメータの弛み有り基準速度以上の場合に使用される補正値Ａ２として構成されている。
【００３０】
弛み無し制御パラメータは、弛み無し検出回数（１回×２０ｍ秒）、１回の弛み無し検出で減速する速度、弛み有り検出回数（１回×２０ｍ秒）、および１回の弛み有り検出で加速する速度で構成され、弛み無し検出回数は、印刷媒体の弛み無し状態を検出するための条件として２０ｍ秒周期で弛みセンサ３８のオフ信号を連続して検出する回数であり、１回の弛み無し検出で減速する速度は、印刷媒体の弛み無し状態を検出したときに定着ローラ２５の速度を減速する定着ローラ２５の媒体搬送基準速度に対する負の百分率で表した補正値であり、弛み有り検出回数は、印刷媒体の弛み有り状態を検出するための条件として２０ｍ秒周期で弛みセンサ３８のオン信号を連続して検出する回数であり、１回の弛み有り検出で加速する速度は、印刷媒体の弛み有り状態を検出したときに定着ローラ２５の速度を加速する定着ローラ２５の媒体搬送基準速度に対する正の百分率である。
【００３１】
また、弛み無し制御パラメータは、補正された定着ローラ２５の速度が、初期弛み制御パラメータの弛み有り基準速度より大きい場合に使用される補正値Ｂ１および補正された定着ローラ２５の速度が、初期弛み制御パラメータの弛み有り基準速度以下の場合に使用される補正値Ｂ２として構成されている。
【００３２】
このように構成されたプリンタ１は、ＣＰＵ（Ｃｅｎｔｒａｌ  Ｐｒｏｃｅｓｓｉｎｇ  Ｕｎｉｔ）等の中央処理装置およびメモリ等の記憶手段を備え、その記憶手段に記憶された制御プログラム（ソフトウェア）に基づいて中央処理装置により装置全体の動作が制御される。
【００３３】
上述した構成の作用について説明する。
図４は第１の実施例における弛み制御処理を示すフローチャート、図５は第１の実施例における初期弛み制御パラメータの設定処理を示すフローチャート、図６は第１の実施例における弛み有り制御パラメータの設定処理を示すフローチャート、図７は第１の実施例における弛み無し制御パラメータの設定処理を示すフローチャートであり、図中Ｓで表すステップにしたがって図１を参照しながら説明する。
【００３４】
上位装置２０１から印刷データを受信するとデータ受信部１０２は、データ記憶部１０３に印刷データを格納し、印刷データを受信したことを主制御部１０１へ通知する。その通知を受けた主制御部１０１は、搬送制御部１０４、画像形成制御部１０６、定着制御部１０８および定着駆動制御部１０９に印刷開始を指示する。
【００３５】
Ｓ４０１：定着駆動制御部１０９は、弛み制御部１１０に印刷開始の指示を通知する。印刷開始の指示が通知された弛み制御部１１０は、制御パラメータ格納部１１１に格納されている弛み制御パラメータテーブルの初期弛み制御パラメータを取得し、設定する。なお、設定とは、初期弛み制御パラメータ等の制御パラメータを記憶手段の所定の領域（以下、「弛み制御パラメータ領域」という。）に記憶させ、その弛み制御パラメータ領域に記憶された制御パラメータにしたがって弛み制御部１１０の制御方法を決定させることである。
【００３６】
ここで、弛み制御部１１０が行う初期弛み制御パラメータの設定処理について図５の第１の実施例における初期弛み制御パラメータの設定処理を示すフローチャートに基づき、図９の第１の実施例における弛み制御パラメータテーブルの説明図を参照しながら説明する
Ｓ５０１：弛み制御部１１０は、定着ローラ２５の初速度を設定する。印刷開始時は、印刷媒体３が定着ローラ２５に引っ張られて転写ずれが発生しないよう、搬送ベルト１５と定着ユニット２４との間で小さい弛みが発生するように定着ローラ２５の媒体搬送速度の初速度を、搬送ベルト１５の媒体搬送速度よりも遅い速度になるように設定する。
【００３７】
定着ローラ２５の熱による膨張や部品精度によるバラつきにより、定着ローラ２５の媒体搬送速度と搬送ベルト１５の媒体搬送速度とを等しくすることは難しく、そのためバラつきが発生しても必ず定着ローラ２５の媒体搬送速度が搬送ベルト１５の媒体搬送速度よりも遅くなる初速度を実験で求め、印刷開始時の定着ローラ２５の駆動時にその初速度を設定する。以下に、定着ローラ２５の初速度を求める計算式を示す。
【００３８】
例えば、補正前の定着ローラ２５の駆動速度（媒体搬送基準速度）を１５０．０ｍｍ/ｓ、初速度の補正値を−０．２０％とした場合、補正後の初速度は１５０．０×（１−０．００２０）＝１４９．７ｍｍ／ｓとなる。
【００３９】
Ｓ５０２：次に、弛み制御部１１０は、弛み有り基準速度を設定する。弛み有り基準速度とは、弛み制御部１１０が印刷媒体３の弛み有りを検出した際に、定着ローラ２５を加速する補正値を決定するために用いる基準値であり、定着ローラ２５の補正速度が弛み有り基準速度より小さい場合は定着ローラ２５を加速する補正値を大きくし、定着ローラ２５の補正速度が弛み有り基準速度以上の場合は定着ローラ２５を加速する補正値を小さくする。
【００４０】
これは、印刷媒体３の弛み有りを検出した後、定着ローラ２５の補正速度が弛み有り基準速度より小さいときは、弛み有り状態が継続したときであり、印刷媒体３の弛みの変化が大きいと考えられ、弛み過ぎを防ぐために早く速度を上げる必要があるため、加速する補正値を大きくする。
【００４１】
一方、定着ローラ２５の補正速度が、弛み有り基準速度以上のときは印刷媒体３の弛みの変化が小さいと考えられ、弛みセンサ３８のオンからオフまでの物理的な時間やチャタリングやノイズを除去する安定時間を考慮し、その間に印刷媒体３の弛み量を大きく変化させないようにするため、加速する補正値を小さくする。
【００４２】
Ｓ５０３：次に、弛み制御部１１０は、弛み上限速度を設定する。この弛み上限速度は定着ローラ２５の速度を補正する弛み上限速度補正値の上限値である。
Ｓ５０４：次に、弛み制御部１１０は、弛み無し基準速度を設定する。弛み無し基準速度とは、弛み制御部１１０が印刷媒体３の弛み無しを検出した際に、定着ローラ２５を減速する補正値を決定するために用いる基準値であり、定着ローラ２５の補正速度が弛み無し基準速度より大きい場合は定着ローラ２５を減速する補正値を大きくし、定着ローラ２５の補正速度が弛み無し基準速度以下の場合は定着ローラ２５を減速する補正値を小さくする。
【００４３】
これは、印刷媒体３の弛み無しを検出した後、定着ローラ２５の補正速度が弛み無し基準速度より大きいときは弛み無し状態が継続したときであり、印刷媒体３の引っ張り過ぎを防ぐために早く速度を落とす必要があるため、減速する補正値を大きくする。
【００４４】
一方、定着ローラ２５の補正速度が、弛み無し基準速度以下のときは、弛みセンサ３８のオンからオフまでの物理的な時間やチャタリングやノイズを除去する安定時間を考慮し、その間に印刷媒体３の弛み量を大きく変化させないようにするため、減速する補正値を小さくする。
【００４５】
Ｓ５０５：次に、弛み制御部１１０は、弛み下限速度を設定する。この弛み下限速度は定着ローラ２５の速度を補正する弛み下限速度補正値の下限値である。
Ｓ５０６：次に、弛み制御部１１０は、補正値Ｂ２をパラメータとして設定する。この補正値Ｂ２は、弛み有り検出回数および１回の弛み有り検出で加速する速度、並びに弛み無し検出回数および１回の弛み無し検出で減速する速度である。なお、弛み有り検出回数および弛み無し検出回数は、弛みセンサ３８のチャタリングやノイズを除去するためのパラメータである。
【００４６】
図４の説明に戻り、Ｓ４０２以降を説明する。
Ｓ４０２：弛み制御部１１０は、定着ローラ２５が駆動されるとその定着ローラ２５で搬送される印刷媒体３により排出センサ３９がオンするまで、すなわち印刷媒体３が排出センサ３９に到達するまで待機する。
Ｓ４０３：排出センサ３９がオンするとその排出センサ３９のオン信号を契機として弛み制御部１１０は、弛み制御を開始する。
【００４７】
ここで、弛み制御部１１０が行う弛み制御の概要を説明する。
初速度が設定された定着ローラ２５で搬送された印刷媒体３により排出センサ３９がオンした直後は、図８（ａ）に示すように、その印刷媒体３に未だ弛みは発生していないため弛みセンサ３８はオフである。弛みセンサ３８のオフ信号により印刷媒体３の弛み無し状態を確定した弛み制御部１１０は、定着ローラ２５の速度を減速させる。
【００４８】
定着ローラ２５の速度を初速度から減速させることにより、図８（ｂ）に示すように、印刷媒体３に弛みが発生し、弛みセンサ３８は印刷媒体３の弛みを検知してオン信号を出力する。弛みセンサ３８のオン信号により印刷媒体３の弛み有り状態を確定した弛み制御部１１０は、定着ローラ２５の速度を加速させる。弛み制御部１１０は、弛みセンサ３８がオフするまで定着ローラ２５の速度を段階的に増速させて印刷媒体３の弛みを除去し、弛み無し状態にする。
【００４９】
このようにして定着ローラ２５の速度を加減速して調整することで印刷媒体３の弛み無し状態と弛み有り状態を連続的に切り替えるＳ４０３からＳ４１４までの制御が弛み制御である。なお、Ｓ４０３からＳ４０８は印刷媒体３の弛み有り状態を検出する制御であり、Ｓ４０３、Ｓ４１０からＳ４１４は印刷媒体３の弛み無し状態を検出する制御である。
【００５０】
Ｓ４０３において、弛み制御部１１０は、弛みセンサ３８の出力を検知し、その出力がオンであれば処理をＳ４０４へ移行し、オフであれば処理をＳ４１０へ移行する。
Ｓ４０４：弛みセンサ３８のオン信号を検知した弛み制御部１１０は、記憶手段に記憶されたオフ検出回数を“０”に初期化する。
Ｓ４０５：弛み制御部１１０は、印刷媒体３の弛み有り状態を検出するために、記憶手段に記憶されたオン検出回数に“１”を加算して更新する。
【００５１】
Ｓ４０６：弛み制御部１１０は、印刷媒体３の弛み有り状態が確定するまで、すなわちパラメータとして設定された弛み有り検出回数（例えば、Ｍ回）以上の弛みセンサ３８のオン信号を検出するまで、弛みセンサ３８の監視を継続し、弛みセンサ３８のオン信号を弛み有り検出回数以上検出すると弛み有り状態を確定する。なお、弛み有り検出回数は図９に示す制御パラメータの補正値Ａ１，Ａ２，Ｂ１，Ｂ２で決定される値である。
【００５２】
Ｓ４０７：弛み有り状態を確定した弛み制御部１１０は、次の弛み状態検出処理に備え、記憶手段に記憶されたオン検出回数を“０”に初期化する。
Ｓ４０８：弛み制御部１１０は、制御パラメータ格納部１１１に格納されている弛み制御パラメータテーブルの弛み有り制御パラメータ設定処理を行う。
【００５３】
ここで、弛み制御部１１０が行う弛み有り制御パラメータ設定処理を図６の第１の実施例における弛み有り制御パラメータの設定処理を示すフローチャートの図中Ｓで表すステップに従って説明する。
Ｓ６０１：弛み制御部１１０は、定着ローラ２５の速度と弛み有り基準速度とを比較し、定着ローラ２５の速度が弛み有り基準速度より小さいと判定した場合、処理をＳ６０２へ移行し、定着ローラ２５の速度が弛み有り基準速度以上（閾値を超えた）と判定した場合、処理をＳ６０３へ移行する。
【００５４】
Ｓ６０２：定着ローラ２５の速度が弛み有り基準速度より小さいと判定した弛み制御部１１０は、弛み制御パラメータ領域に図９に示す補正値Ａ１（第１の値）を設定し、処理をＳ６０４へ移行する。
Ｓ６０３：定着ローラ２５の速度が弛み有り基準速度以上と判定した弛み制御部１１０は、弛み制御パラメータ領域に図９に示す補正値Ａ２（第２の値）を設定し、処理をＳ６０４へ移行する。
【００５５】
この補正値Ａ１および補正値Ａ２は、弛み有り検出回数および１回の弛み有り検出で加速する速度、並びに弛み無し検出回数および１回の弛み無し検出で減速する速度のパラメータである。
【００５６】
Ｓ６０４：弛み制御部１１０は、Ｓ６０２またはＳ６０３において設定した１回の弛み有り検出で加速する速度または１回の弛み無し検出で減速する速度の制御パラメータ（補正値）に従って定着ローラ２５の速度を補正する。なお、速度の補正方法は、図５におけるＳ５０１で示した計算式と同様である。
【００５７】
図４の説明に戻り、Ｓ４０９以降を説明する。
Ｓ４０９：弛み制御部１１０は、印刷中であるか否かを判定し、印刷中であれば処理をＳ４０３へ戻し、弛み制御を継続し、印刷が終了すると弛み制御を終了する。
【００５８】
Ｓ４１０：Ｓ４０３において、弛みセンサ３８のオフ信号を検知した弛み制御部１１０は、記憶手段に記憶されたオン検出回数を“０”に初期化する。
Ｓ４１１：弛み制御部１１０は、印刷媒体３の弛み無し状態を検出するために、記憶手段に記憶されたオフ検出回数に“１”を加算して更新する。
【００５９】
Ｓ４１２：弛み制御部１１０は、印刷媒体３の弛み無し状態が確定するまで、すなわちパラメータとして設定された弛み無し検出回数（例えば、Ｎ回）以上の弛みセンサ３８のオフ信号を検出するまで、弛みセンサ３８の監視を継続し、弛みセンサ３８のオフ信号を弛み無し検出回数以上検出すると弛み無し状態を確定する。なお、弛み無し検出回数は図９に示す制御パラメータの補正値Ａ１，Ａ２，Ｂ１，Ｂ２で決定される値である。
【００６０】
Ｓ４１３：弛み無し状態を確定した弛み制御部１１０は、次の弛み状態検出処理に備え、記憶手段に記憶されたオフ検出回数を“０”に初期化する。
Ｓ４１４：弛み制御部１１０は、制御パラメータ格納部１１１に格納されている弛み制御パラメータテーブルの弛み無し制御パラメータ設定処理を行い、処理をＳ４０９へ移行する。
【００６１】
ここで、弛み制御部１１０が行う弛み無し制御パラメータ設定処理を図７の第１の実施例における弛み無し制御パラメータの設定処理を示すフローチャートの図中Ｓで表すステップに従って説明する。
Ｓ７０１：弛み制御部１１０は、定着ローラ２５の速度と弛み無し基準速度とを比較し、定着ローラ２５の速度が弛み無し基準速度より大きいと判定した場合、処理をＳ７０２へ移行し、定着ローラ２５の速度が弛み無し基準速度以下（閾値を超えた）と判定した場合、処理をＳ７０３へ移行する。
【００６２】
Ｓ７０２：定着ローラ２５の速度が弛み有り基準速度より大きいと判定した弛み制御部１１０は、弛み制御パラメータ領域に図９に示す補正値Ｂ１（第１の値）を設定し、処理をＳ７０４へ移行する。
【００６３】
Ｓ７０３：定着ローラ２５の速度が弛み有り基準速度以下と判定した弛み制御部１１０は、弛み制御パラメータ領域に図９に示す補正値Ｂ２（第２の値）を設定し、処理をＳ７０４へ移行する。
この補正値Ｂ１および補正値Ｂ２は、弛み無し検出回数および１回の弛み無し検出で減速する速度、並びに弛み有り検出回数および１回の弛み有り検出で加速する速度のパラメータである。
【００６４】
Ｓ７０４：弛み制御部１１０は、設定した１回の弛み無し検出で減速する速度または１回の弛み有り検出で加速する速度の制御パラメータ（補正値）に従って定着ローラ２５の速度を補正する。なお、速度の補正方法は、図５におけるＳ５０１で示した計算式と同様である。
【００６５】
次に、上述した弛み制御を図１０の第１の実施例における定着ローラの補正速度の変化を示すグラフに基づいて図９を参照しながら説明する。図１０の縦軸は定着ローラ２５の速度補正値、横軸は時間の経過を示し、横軸に付与したＴ１〜Ｔ７の時間の経過に基づき補正速度の変化を説明する。なお、図１０の縦軸の定着ローラ２５の速度補正値は、図９の弛み制御パラメータテーブルで説明した補正値と同じであり、定着ローラ２５の媒体搬送基準速度に対する加減速を百分率で表したものである。したがって、補正値“０．０”は搬送ベルト１５の媒体搬送速度と同速度であることを表している。
【００６６】
Ｔ１：印刷を開始すると弛み制御部１１０は、定着ローラ２５を初速度、つまり搬送ベルト１５の速度に対して−０．２０％の速度で回転させる。定着ローラ２５の速度は、搬送ベルト１５により搬送された印刷媒体３により排出センサ３９がオンするまでは弛み制御を行わないため、排出センサ３９のオンを待機するＴ２までは定着ローラ２５の速度は初速度で一定である。
【００６７】
Ｔ２：印刷媒体３により排出センサ３９がオンすると弛み制御部１１０は、弛み制御を開始する。なお、弛み制御を開始するときは弛みセンサ３８はオフである。
弛み制御部１１０は、初期設定された補正値Ｂ２により、弛みセンサ３８のオフ信号を弛み無し検出回数１２回（２０ｍｓ周期で監視）検知すると印刷媒体３の弛み無し状態を確定し、定着ローラ２５の速度を1回の「弛み無し検出」で減速する速度である−０．０５％だけ減速する。つまり、マイナスの補正値である−０．２５％（初速度の−０．２０％−０．０５％＝−０．２５％）が設定される。
【００６８】
次に、弛み制御部１１０は、弛みセンサ３８のオフ信号を弛み無し検出回数１２回（２０ｍｓ周期で監視）検知すると定着ローラ２５の速度を、さらに−０．０５％だけ減速する。弛み制御部１１０は、弛みセンサ３８のオン信号を検知するまで、同様に定着ローラ２５の速度を減速する。
【００６９】
なお、定着ローラ２５を減速できる最大の補正値は、図９に示す弛み制御パラメータテーブルの弛み無し下限速度−０．７０％に設定されているため、−０．７０％を下限速度とする。また、Ｔ２〜Ｔ３は印刷媒体３の弛み無しを検出している区間であり、弛み制御パラメータ領域には補正値Ｂ２が設定されている。
【００７０】
Ｔ３：弛み制御部１１０は、初期設定された補正値Ｂ２により、弛みセンサ３８のオン信号を弛み有り検出回数４回（２０ｍｓ周期で監視）継続して検知すると印刷媒体３の弛み有り状態を確定し、弛み制御パラメータ領域の補正値を弛み有り制御パラメータの補正値に入れ替え、定着ローラ２５の搬送速度が搬送ベルト１５の搬送速度より大きくなるように定着ローラ２５を加速する。その際、現在の定着ローラ２５の速度の補正値が弛み有り基準速度より小さい場合は補正値Ａ１（第１の値）に入れ替え、現在の定着ローラ２５の速度の補正値が弛み有り基準速度以上の場合（すなわち、搬送ベルト１５の搬送速度と定着ローラ２５の搬送速度との速度差が閾値を超えた場合）は補正値Ａ２（第２の値）に入れ替える。このように弛み制御パラメータ領域の補正値を弛み有り制御パラメータの補正値に入れ替えることにより、１回の弛み有り検出で定着ローラ２５を加速する比率を変化させる。
【００７１】
本実施例では、Ｔ３において、現在の定着ローラ２５の速度の補正値が弛み有り基準速度より小さいため、補正値Ｂ２から補正値Ａ１に入れ替えるものとする。Ｔ３〜Ｔ４の補正値Ａ１の区間は、定着ローラ２５の速度のマイナスの補正値が大きく、速度が減速されている状態であり、この状態が継続すると印刷媒体３も弛みが大きくなり、弛み過ぎによるシワが発生する可能性がある。そのため、早く定着ローラ２５の速度補正値を０に近づけるため補正値Ａ１（第１の値）により定着ローラ２５の加速量を大きくする。
なお、Ｔ３〜Ｔ５は印刷媒体３の弛み有りを検出している区間である。
【００７２】
Ｔ４：弛み制御部１１０は、現在の定着ローラ２５の速度の補正値が弛み有り基準速度以上であることを検知すると補正値Ａ１から補正値Ａ２に入れ替える。Ｔ４からＴ５は、弛み制御パラメータ領域の補正値が補正値Ａ２、弛みセンサ３８の出力信号がオンからオフに切り替わる区間であり、定着ローラ２５の速度が搬送ベルト１５の速度より速くなり、印刷媒体３の弛み無しを検知する区間である。
【００７３】
この区間では、弛み無しを検出する際、弛みセンサ３８のオンからオフへの反応時間、チャタリングやノイズを除去する時間で定着ローラ２５の速度の補正値が大きくなりすぎて定着ローラ２５が印刷媒体３を引っ張ることによる転写ズレの発生を防止するため、補正値Ａ２（第２の値）により定着ローラ２５の加速量を小さくする。
【００７４】
Ｔ５：弛み制御部１１０は、設定された補正値Ａ２により、弛みセンサ３８のオフ信号を弛み無し検出回数６回（２０ｍｓ周期で監視）継続して検知すると印刷媒体３の弛み無し状態を確定し、弛み制御パラメータ領域の補正値を弛み無し制御パラメータの補正値に入れ替え、定着ローラ２５の搬送速度が搬送ベルト１５の搬送速度より小さくなるように定着ローラ２５を減速する。その際、現在の定着ローラ２５の速度の補正値が弛み無し基準速度より大きい場合は補正値Ｂ１（第１の値）に入れ替え、現在の定着ローラ２５の速度の補正値が弛み無し基準速度以下の場合（すなわち、搬送ベルト１５の搬送速度と定着ローラ２５の搬送速度との速度差が閾値を超えた場合）は補正値Ｂ２（第２の値）に入れ替える。このように弛み制御パラメータ領域の補正値を弛み無し制御パラメータの補正値に入れ替えることにより、１回の弛み無し検出で定着ローラ２５を減速する比率を変化させる。
【００７５】
本実施例では、Ｔ５において、現在の定着ローラ２５の速度の補正値が弛み無し基準速度より大きいため、補正値Ａ２から補正値Ｂ１に入れ替えるものとする。Ｔ５〜Ｔ６の補正値Ｂ１の区間は、定着ローラ２５の速度のプラスの補正値が大きく、速度が加速されている状態であり、この状態が継続すると印刷媒体３が定着ローラ２５に引っ張られ、転写ズレが発生する可能性がある。そのため、早く定着ローラ２５の速度補正値を０に近づけるため補正値Ｂ１（第１の値）により定着ローラ２５の減速量を大きくする。
なお、Ｔ５〜Ｔ７は印刷媒体３の弛み無しを検出している区間である。
【００７６】
Ｔ６：弛み制御部１１０は、現在の定着ローラ２５の速度の補正値が弛み無し基準速度以下であることを検知すると補正値Ｂ１から補正値Ｂ２に入れ替える。Ｔ６からＴ７は、弛み制御パラメータ領域の補正値が補正値Ｂ２、弛みセンサ３８の出力信号がオフからオンに切り替わる区間であり、定着ローラ２５の速度が搬送ベルト１５の速度より遅くなり、印刷媒体３の弛み有りを検知する区間である。
【００７７】
この区間では、弛み無しを検出する際、弛みセンサ３８のオフからオンへの反応時間、チャタリングやノイズを除去する時間で定着ローラ２５の速度の補正値が小さくなりすぎて印刷媒体３の弛み過ぎによるシワの発生を防止するため、補正値Ｂ２（第２の値）により定着ローラ２５の減速量を小さくする。
【００７８】
このように制御手段としての弛み制御部１１０は、弛み検出手段による弛み有無の切り替わりを検出してから、搬送ベルト１５の搬送速度と定着ローラ２５の搬送速度との媒体搬送速度差が閾値を超えるまで、定着ローラ２５の媒体搬送速度の変速前の速度と変速後の速度との差が第１の値となるように定着ローラ２５の媒体搬送速度を徐々に変化させ、また、媒体搬送速度差が閾値を超えてから再度弛み検出手段による弛み有無の切り替わりを検出するまで、定着ローラ２５の媒体搬送速度の変速前の速度と変速後の速度との差が、前記第１の値より小さい第２の値となるように定着ローラ２５の媒体搬送速度を徐々に変化させる。
【００７９】
以上説明したように、第１の実施例では、記録媒体の弛み状態および定着ローラの速度に応じて定着ローラの速度補正量を調整することにより、弛みセンサの出力信号がオンからオフまたはオフからオンに変化するまでの時間や、出力信号のチャタリングやノイズを除去するための安定時間内に、記録媒体の弛み量が大きくなること、または記録媒体が引っ張られることによる印字画質の劣化の発生を抑制することができ、印字画質を向上させることができるという効果が得られる。
【実施例２】
【００８０】
図１１は第２の実施例における画像形成装置の機能構成を示すブロック図である。なお、画像形成装置および画像形成ユニットの構成は図２および図３に示す第１の実施例の構成と同様なので同一の符号を付してその説明を省略する。
図１１において、プリンタ１は、印刷データを印刷ジョブとして送信するパーソナルコンピュータ等の上位装置２０１と通信可能に接続されている。
【００８１】
そのプリンタ１は、装置全体の制御を行う主制御部１０１と、上位装置２０１から印刷データを受信するデータ受信部１０２と、受信した印刷データを格納するデータ記憶部１０３と、各ローラ（図２に示すプレッシャローラ６、レジストローラ７、ベルトアイドルローラ８、駆動ローラ１３、排出ローラ３１〜３４）で構成される搬送機構１０５の制御を行う搬送制御部１０４と、図２に示す画像形成ユニット１６〜１９、露光装置２０〜２３、転写ローラ９〜１２で構成される画像形成機構１０７の制御を行う画像形成制御部１０６と、サーミスタ２８の検出値からハロゲンランプ２７のオン／オフ制御を行う定着制御部１０８と、定着ローラ２５および加圧ローラ２６の駆動制御を行う定着駆動制御部１０９と、弛みセンサ３８から出力信号をオン／オフ信号として出力する弛み検出部１１２と、弛み検出部１１２からのオン／オフ信号により印刷媒体の弛みの検出を行う弛み制御部１１０と、印刷媒体の弛み状態に応じた定着ローラ２５の速度補正値が格納されている制御パラメータ格納部１１１と、弛み制御中に定着ローラ２５の速度が最大になったときの補正値が記憶される最大補正値格納部１１３と、弛み制御中に定着ローラ２５の速度が最小になったときの補正値が記憶される最小補正値格納部１１４と、最大補正値格納部１１３および最小補正値格納部１１４に格納されている値から弛み有り基準速度並びに弛み無し基準速度を算出する基準速度算出部１１５と、前回の弛み状態が格納される弛み状態記憶部１１６とから構成されている。
【００８２】
このように構成されたプリンタ１は、ＣＰＵ等の中央処理装置およびメモリ等の記憶手段を備え、その記憶手段に記憶された制御プログラム（ソフトウェア）に基づいて中央処理装置により装置全体の動作が制御される。
【００８３】
上述した構成の作用について説明する。
図１２は第２の実施例における弛み制御処理を示すフローチャートであり、図中Ｓで表すステップにしたがって、図１１を参照しながら説明する。
【００８４】
上位装置２０１から印刷データを受信するとデータ受信部１０２は、データ記憶部１０３に印刷データを格納し、印刷データを受信したことを主制御部１０１へ通知する。その通知を受けた主制御部１０１は、搬送制御部１０４、画像形成制御部１０６、定着制御部１０８および定着駆動制御部１０９に印刷開始を指示する。
【００８５】
Ｓ１２０１：定着駆動制御部１０９は、弛み制御部１１０に印刷開始の指示を通知する。印刷開始の指示が通知された弛み制御部１１０は、制御パラメータ格納部１１１に格納されている初期弛み制御パラメータを取得し、設定する。なお、初期弛み制御パラメータの設定処理は第１の実施例と同様なのでその説明を省略する。
【００８６】
Ｓ１２０２：弛み制御部１１０は、印刷開始時、印刷媒体３に弛みは発生していないため、現在の弛み状態を“弛み無し”として弛み状態記憶部１１６に記憶させる。
Ｓ１２０３〜Ｓ１２０８：図４におけるＳ４０２〜Ｓ４０７と同様なのでその説明を省略する。
【００８７】
Ｓ１２０９：弛み有り状態を確定した弛み制御部１１０は、弛み状態記憶部１１６に“弛み無し”が記憶されているか否かを判定し、“弛み無し”が記憶されていると判定すると処理をＳ１２１０へ移行し、“弛み無し”が記憶されていないと判定すると処理をＳ１２１１へ移行する。
【００８８】
Ｓ１２１０：“弛み無し”が記憶されていると判定した弛み制御部１１０は、前回の印刷媒体３の弛み状態は“弛み無し”であるため、現在の定着ローラ２５の速度は最も減速している速度であり、現在の定着ローラ２５の速度補正値を速度補正値の最小補正値として最小補正値格納部１１４に記憶させる。
【００８９】
なお、本実施例では、定着ローラ２５の速度補正値を速度補正値の最小補正値として最小補正値格納部１１４に記憶させるようにしているが、これは当該補正値および定着ローラ２５の媒体搬送基準速度から定着ローラ２５の媒体搬送速度を算出することができるため、定着ローラ２５の媒体搬送速度の最小値を記憶させることと同義であり、また媒体搬送手段としての搬送ベルト１５の媒体搬送速度と定着手段としての定着ローラ２５の媒体搬送速度との間の速度差の最小値を記憶させることと同義である。
【００９０】
Ｓ１２１１：弛み制御部１１０の指示により基準速度算出部１１５は、最大補正値格納部１１３に格納されている補正値と最小補正値格納部１１４に格納されている補正値との平均値を算出する。この平均値付近が弛みセンサ３８のオンとオフとが切り替わる定着ローラ２５の速度補正値である。第１の実施例では、弛み有り基準速度および弛み無し基準速度は補正値を“０”として決定していた。しかし、実際は装置固有のバラツキによって補正値“０”が弛みセンサ３８の切り替わる定着ローラ２５の速度補正値ではない。本実施例では、上述した平均値を基に閾値としての弛み有り基準速度および弛み無し基準速度を算出することにより、第１の実施例よりも正確に弛み有り制御パラメータを設定することができるようになる。
【００９１】
例えば、平均値を基に弛み有り基準速度および弛み無し基準速度を算出する方法を以下に示す。
補正値の平均（％）＝（最大補正値％＋最小補正値％）／２
弛み有り基準速度（％）＝補正値の平均＋０．０５（０．０５は実験で求めた適正値）％
弛み無し基準速度（％）＝補正値の平均−０．１０（０．１０は実験で求めた適正値）％
【００９２】
Ｓ１２１２：図４におけるＳ４０８と同様なのでその説明を省略する。
Ｓ１２１３：弛み制御部１１０は、現在の弛み状態を“弛み有り”として弛み状態記憶部１１６に記憶させる。
Ｓ１２１４〜Ｓ１２１８：図４におけるＳ４０９〜Ｓ４１３と同様なのでその説明を省略する。
【００９３】
Ｓ１２１９：弛み無し状態を確定した弛み制御部１１０は、弛み状態記憶部１１６に“弛み有り”が記憶されているか否かを判定し、“弛み有り”が記憶されていると判定すると処理をＳ１２２０へ移行し、“弛み有り”が記憶されていないと判定すると処理をＳ１２２１へ移行する。
【００９４】
Ｓ１２２０：“弛み有り”が記憶されていると判定した弛み制御部１１０は、前回の印刷媒体３の弛み状態は“弛み有り”であるため、現在の定着ローラ２５の速度は最も加速している速度であり、現在の定着ローラ２５の速度補正値を速度補正値の最大補正値として最大補正値格納部１１３に記憶させる。
【００９５】
なお、本実施例では、定着ローラ２５の速度補正値を速度補正値の最大補正値として最大補正値格納部１１３に記憶させるようにしているが、これは当該補正値および定着ローラ２５の媒体搬送基準速度から定着ローラ２５の媒体搬送速度を算出することができるため、定着ローラ２５の媒体搬送速度の最大値を記憶させることと同義であり、また媒体搬送手段としての搬送ベルト１５の媒体搬送速度と定着手段としての定着ローラ２５の媒体搬送速度との間の速度差の最大値を記憶させることと同義である。
【００９６】
Ｓ１２２１：弛み制御部１１０の指示により基準速度算出部１１５は、最大補正値格納部１１３に格納されている補正値と最小補正値格納部１１４に格納されている補正値との平均値を算出し、算出した平均値を基に弛み有り基準速度および弛み無し基準速度を算出する。なお、平均値を基に弛み有り基準速度および弛み無し基準速度を算出する方法はＳ１２１１と同様である。
【００９７】
Ｓ１２２２：図４におけるＳ４１４と同様なのでその説明を省略する。
Ｓ１２２３：弛み制御部１１０は、現在の弛み状態を“弛み無し”として弛み状態記憶部１１６に記憶させ、処理をＳ１２１４へ移行する。
【００９８】
以上説明したように、第２の実施例では、第１の実施例の効果に加え、定着ローラの速度補正値の最大値および最小値から速度補正値の中間値（平均値）を算出し、その中間値から弛み有り基準速度および弛み無し基準速度を決定するようにしたことにより、印刷媒体の弛み有り状態と弛み無し状態とが切り替わる定着ローラの速度の範囲をより正確に設定することができるため、第１の実施例と比較してより精密に弛み制御を行うことができるという効果が得られる。
【００９９】
なお、第１の実施例および第２の実施例では、搬送ベルトによる媒体搬送速度を基準として定着ローラの媒体搬送速度を変化させるものとして説明したが、定着ローラによる媒体搬送速度を基準として搬送ベルトの媒体搬送速度を変化させるようにしてもよく、さらに予め媒体搬送速度の基準値を決定しておき、定着ローラおよび搬送ベルトの双方の媒体搬送速度を変化させるようにしてもよい。
【０１００】
また、第１の実施例および第２の実施例では、１個の弛みセンサを記録媒体の搬送方向に直交する方向における中央に配置する例で説明したが、両端部に２個の弛みセンサを配置し、それぞれの弛みセンサに対して弛み制御を行うようにしても良い。
また、第２の実施例では、過去１回分の定着ローラの速度補正値の最大値および最小値から速度補正値の平均値を算出するようにしたが、過去数回分の平均値としても良い。
【符号の説明】
【０１０１】
１    プリンタ
２    用紙カセット
３    印刷媒体
４    リタードローラ
５    給紙ローラ
６    プレッシャローラ
７    レジストローラ
８    ベルトアイドルローラ
９、１０、１１、１２  転写ローラ
１３  駆動ローラ
１４  ベルトユニット
１５  搬送ベルト
１６、１７、１８、１９  画像形成ユニット
２０、２１、２２、２３  露光装置
２４  定着ユニット
２５  定着ローラ
２６  加圧ローラ
２７  ハロゲンランプ
２８、２９、３０  サーミスタ
３１、３２、３３、３４  排出ローラ
３５  フェイスダウンスタッカ
３８  弛みセンサ
３９  排出センサ
１０１  主制御部
１０２  データ受信部
１０３  データ記憶部
１０４  搬送制御部
１０５  搬送機構
１０６  画像形成制御部
１０７  画像形成機構
１０８  定着制御部
１０９  定着駆動制御部
１１０  弛み制御部
１１１  制御パラメータ格納部
１１２  弛み検出部
１１３  最大補正値格納部
１１４  最小補正値格納部
１１５  基準速度算出部
１１６  弛み状態記憶部
２０１  上位装置
【図１】
0005367676.tif 000002
【図２】
0005367676.tif 000003
【図３】
0005367676.tif 000004
【図４】
0005367676.tif 000005
【図５】
0005367676.tif 000006
【図６】
0005367676.tif 000007
【図７】
0005367676.tif 000008
【図８】
0005367676.tif 000009
【図９】
0005367676.tif 000010
【図１０】
0005367676.tif 000011
【図１１】
0005367676.tif 000012
【図１２】
0005367676.tif 000013